(57)【特許請求の範囲】
【請求項１】
被破砕物を破砕して、純金属と、ダスト絡まり金属と、ダストとを生成する破砕装置と、
破砕装置により破砕された被破砕物のうち純金属およびダスト絡まり金属を主としてダストから分別する金属選別装置と、
金属選別装置で分別された純金属とダスト絡まり金属のうちダスト絡まり金属を主として吸引するとともに、ダスト絡まり金属に混じって流出するダストを吸引し、ダスト絡まり金属とダスト絡まり金属に混じって流出するダストのうちダスト絡まり金属を破砕装置に戻すとともに、ダスト絡まり金属に混じって流出するダストを回収するダスト回収装置と、
金属選別装置から搬送される純金属を主として回収する回収コンテナと、を備えたことを特徴とする廃棄物処理システム。
【請求項２】
被破砕物を破砕して、純金属と、ダスト絡まり金属と、ダストとを生成する破砕装置と、
破砕装置により生成された被破砕物のうちダスト絡まり金属およびダストを主として吸引し、このうちダスト絡まり金属を破砕装置に戻すとともに、ダストを回収するダスト回収装置と、
ダスト回収装置により吸引されなかった被破砕物のうち純金属およびダスト絡まり金属を主としてダストから分別する金属選別装置と、
金属選別装置から搬送される純金属およびダスト絡まり金属を主として回収する回収コンテナと、を備えたことを特徴とする廃棄物処理システム。
【請求項３】
ダスト回収装置は、ダスト回収装置により吸引されたダスト絡まり金属およびダストのうちダスト絡まり金属をダストから分別するダスト除去装置を有することを特徴とする請求項１乃至２記載の廃棄物処理システム。
【請求項４】
回収コンテナに取り付けられ、回収コンテナに回収された金属類の金属純度を検出する金属純度検出計と、
破砕装置に取り付けられ、破砕装置により破砕される被破砕物の破砕量を検出する破砕量検出計と、
金属純度検出計および破砕量検出計からの信号に基づいてダスト回収装置により吸引されるダスト絡まり金属およびダストの回収量を制御するダスト回収制御装置と、を更に備えたことを特徴とする請求項１乃至３記載の廃棄物処理システム。
【請求項５】
破砕装置により破砕した破砕物を、主として純金属およびダスト絡まり金属と、ダストとに分別する分別装置と、
分別装置によって分別された純金属およびダスト絡まり金属から純金属を回収する第１の回収装置と、
分別装置によって分別されたダストを回収する第２の回収装置と、
分別装置によって分別された純金属およびダスト絡まり金属のうちダスト絡まり金属を吸引するとともに、ダスト絡まり金属に混じって流出するダストを吸引し、ダスト絡まり金属とダスト絡まり金属に混じって流出するダストのうちダスト絡まり金属を破砕装置に戻すとともに、ダスト絡まり金属に混じって流出するダストを回収するダスト回収装置と、を備えたことを特徴とする廃棄物処理システム。
【発明の詳細な説明】
【０００１】
【発明の属する技術分野】
本発明は、破砕装置により破砕された被破砕物から非金属を取り除いて、金属を回収する廃棄物処理システムに関する。
【０００２】
【従来の技術】
従来より、家電製品、廃自動車、廃プラスチック等の被破砕物を破砕する圧縮破砕機、衝撃破砕機、せん断破砕機等の破砕装置と、破砕装置により破砕された被破砕物のうち金属を一部または全部に有する金属類を分別する磁選機、非鉄選別機等の金属選別装置と、を備えた廃棄物処理システムが知られている。
【０００３】
金属選別装置により分別された金属類は、リサイクルに供され、また、金属類以外のダストは難処理物とされて埋め立て処分されるのが一般的である。しかしながら、ダストは最近では埋め立て処分の代わりに、熱分解処理されてエネルギー回収およびダストの減容化、ダスト処理の無害化等も図られている。
【０００４】
【発明が解決しようとする課題】
上述のように、破砕装置により破砕された被破砕物は、金属選別装置により金属類とダストとに分別され、金属類は回収コンテナに回収されてリサイクルに供される。
【０００５】
ところで、金属選別装置により分別される金属類は、プラスチックやゴム等の非金属がほとんど含まれず、主として金属から形成される金属純度が極めて高い純金属と、プラスチックやゴム等の非金属のダストと純金属とが両者一体となって形成されたり、両者が絡まり合って形成されたダスト絡まり金属と、から構成される。また、金属選別装置により分別された金属類にはダストが混入していることもある。従って、金属選別装置により分別され、回収コンテナに回収される金属類の金属純度は、金属類に含まれるダスト絡まり金属および混入したダストにより、低下する。回収コンテナに回収される金属類の金属純度の低下は、廃棄物処理システムを経て回収される金属類の引き取り価格に直接的に影響するので、金属類の引き取り価格の低下を招く。
【０００６】
本発明はこのような点を考慮してなされたものであり、廃棄物処理システムを経て回収される金属類から、ダスト絡まり金属および混入したダストを精度良く取り除き、廃棄物処理システムを経て回収される金属類の金属純度を向上させる廃棄物処理システムを提供することを目的とする。
【０００７】
【課題を解決するための手段】
本発明は、被破砕物を破砕して、純金属と、ダスト絡まり金属と、ダストとを生成する破砕装置と、破砕装置により破砕された被破砕物のうち純金属およびダスト絡まり金属を主としてダストから分別する金属選別装置と、金属選別装置で分別された純金属とダスト絡まり金属のうちダスト絡まり金属を主として吸引するとともに、ダスト絡まり金属に混じって流出するダストを吸引し、ダスト絡まり金属とダスト絡まり金属に混じって流出するダストのうちダスト絡まり金属を破砕装置に戻すとともに、ダスト絡まり金蔵に混じって流出するダストを回収するダスト回収装置と、金属選別装置から搬送される純金属を主として回収する回収コンテナと、を備えたことを特徴とする廃棄物処理システムである。
【０００８】
本発明によれば、ダスト回収装置により、金属選別装置で分別された純金属とダスト絡まり金属のうちダスト絡まり金属を主として回収して破砕装置に戻すとともに、金属選別装置から流出するダストの一部を回収するので、回収コンテナに回収されるダスト絡まり金属およびダストの回収量は減少し、回収コンテナに回収される金属類の金属純度が向上する。
【０００９】
本発明は、被破砕物を破砕して、純金属と、ダスト絡まり金属と、ダストとを生成する破砕装置と、破砕装置により生成された被破砕物のうちダスト絡まり金属およびダストを主として吸引し、このうちダスト絡まり金属を破砕装置に戻すとともに、ダストを回収するダスト回収装置と、ダスト回収装置により吸引されなかった被破砕物のうち純金属およびダスト絡まり金属を主としてダストから分別する金属選別装置と、金属選別装置から搬送される純金属およびダスト絡まり金属を主として回収する回収コンテナと、を備えたことを特徴とする廃棄物処理システムである。
【００１０】
また、本発明によれば、ダスト回収装置により、破砕装置により破砕された被破砕物のうちダスト絡まり金属およびダストを主として回収して、このうちダスト絡まり金属を破砕装置に戻すとともに、他の被破砕物を放出するので、金属選別装置へ搬送されるダストおよびダスト絡まり金属は減少する。これにより、金属選別装置から回収コンテナへ搬送され、回収コンテナに回収される金属類の金属純度が向上する。
【００１１】
本発明は、破砕装置により破砕した破砕物を、主として純金属およびダスト絡まり金属と、ダストとに分別する分別装置と、分別装置によって分別された純金属およびダスト絡まり金属から純金属を回収する第１の回収装置と、分別装置によって分別されたダストを回収する第２の回収装置と、分別装置によって分別された純金属およびダスト絡まり金属
のうちダスト絡まり金属を吸引するとともに、ダスト絡まり金属に混じって流出するダストを吸引し、ダスト絡まり金属とダスト絡まり金属に混じって流出するダストのうちダスト絡まり金属を破砕装置に戻すとともに、ダスト絡まり金属に混じって流出するダストを回収するダスト回収装置と、を備えたことを特徴とする廃棄物処理システムである。
【００１２】
【発明の実施の形態】
第１の実施の形態
以下、図面を参照して本発明の実施の形態について説明する。
図１は本発明の第１の実施の形態を示す図である。ここで図１は廃棄物処理システムを示す構成図である。
【００１３】
図１において、廃棄物処理システムは、被破砕物を破砕して、後述する純金属と、ダスト絡まり金属と、ダストとを生成する破砕装置１と、破砕装置１により破砕された被破砕物のうち純金属およびダスト絡まり金属をダストから主として分別する金属選別装置２と、破砕装置１と金属選別装置２との間に設けられ、破砕装置１により破砕された被破砕物を、金属選別装置２へ搬送する被破砕物搬送機１５と、を備えている。
【００１４】
ここで、破砕装置１により破砕された被破砕物は
（ｉ）主として金属のみから形成される金属純度が極めて高い純金属、
（ii）非金属と金属とが両者一体となって形成されたり、両者が絡まり合って形成されたダスト絡まり金属、
（iii）非金属のみから形成されるダスト、
、とからなる。このうち純金属と、ダスト絡まり金属とから金属類が構成される。
【００１５】
金属選別装置２により分別されたダストは、第１出口２５からダスト搬送機１６を介して、熱分解炉等の後段処理装置８（第２の回収装置）へ搬送される。また、金属選別装置２により分別された金属類のうち特定種類の金属は、第２出口２６から第１金属類搬送機１７を介して、第１回収コンテナ４ａ（第１の回収装置）に回収され、さらに他の種類の金属は、第３出口２７から第２金属類搬送機１８を介して、第２回収コンテナ４ｂ（第１の回収装置）に回収される。
【００１６】
また、金属選別装置２と第１回収コンテナ４ａとの間の第１金属類搬送機１７上に、金属選別装置２で分別された純金属とダスト絡まり金属のうちダスト絡まり金属を主として回収して破砕装置１に戻すとともに、金属選別装置２から流出するダストの一部を吸引するダスト回収装置３が設けられている。
【００１７】
ダスト回収装置３は、第１金属類搬送機１７により搬送されているダスト絡まり金属、および金属選別装置２から流出するダストを吸引する回収ダクト１１と、回収ダクト１１に吸引されたダスト絡まり金属およびダストを回収ダクト１１内で搬送するファン等の回収吸引装置１２とを有する。
【００１８】
また、回収ダクト１１には、回収ダクト１１内を搬送されるダスト絡まり金属を、ダスト回収装置３から破砕装置１に戻すサイクロン等の回収返送装置１３が取り付けられている。さらに、回収ダクト１１のうち回収返送装置１３の上流側には、ダスト絡まり金属とダストとを分別し、この分別されたダストをダスト搬送機１６に搬送するとともに、分別されたダスト絡まり金属を回収ダクト１１を介して回収返送装置１３に搬送するダスト除去装置１０が取り付けられている。
【００１９】
また、第１回収コンテナ４ａおよび第２回収コンテナ４ｂには、第１回収コンテナ４ａおよび第２回収コンテナ４ｂに回収された金属類の金属純度を検出する金属純度検出計５ａおよび５ｂが取り付けられ、また、破砕装置１には、破砕装置１により破砕される被破砕物の破砕量を検出する破砕量検出計６が取り付けられている。
【００２０】
さらに、回収吸引装置１２には、金属純度検出計５ａ、５ｂおよび破砕量検出計６からの信号に基づいて、ダスト回収装置３により回収されるダストおよびダスト絡まり金属の回収量を制御するために回収吸引装置１２の吸引力を調整するダスト回収制御装置７が設けられている。
【００２１】
なお、上記金属選別装置２とダスト回収装置３とから分別装置１９が構成され、また、回収ダクト１１と回収吸引装置１２と回収返送装置１３とから供給装置２０が構成される。
【００２２】
次にこのような構成からなる本実施の形態の作用について説明する。
まず、破砕装置１に被破砕物が供給され、その後、被破砕物は破砕装置１により破砕されて粒度が小さくされる。破砕装置１により破砕された被破砕物は、被破砕物搬送機１５により金属選別装置２に搬送される。金属選別装置２に搬送された被破砕物のうち、純金属およびダスト絡まり金属は、例えば金属の有する磁性を利用して、ダストから分別される。
【００２３】
金属選別装置２により分別されたダストは、第１出口２５からダスト搬送機１６へ排出されて、このダスト搬送機１６により、例えば熱分解炉等の後段処理装置８に搬送される。熱分解炉等の後段処理装置８に搬送されたダストは、熱分解炉等において適切に処理されて、エネルギー回収およびダストの減容化、ダスト処理の無害化等が図られる。
【００２４】
一方、金属選別装置２により分別された純金属およびダスト絡まり金属から構成される金属類は、金属の種類に応じて第２出口２６および第３出口２７から第１金属類搬送機１７および第２金属類搬送機１８へ排出されて、この第１金属類搬送機１７および第２金属類搬送機１８により、第１回収コンテナ４ａおよび第２回収コンテナ４ｂにそれぞれ搬送される。
【００２５】
このとき、第１金属類搬送機１７により搬送されている金属類のうちダスト絡まり金属は、回収ダクト１１に吸引される。回収ダクト１１による吸引作業は、ダスト絡まり金属の密度が、一般的に純金属の密度に比べて小さいことを利用して、回収吸引装置１２の吸引力を調整して行われる。すなわち、純金属およびダスト絡まり金属のうち、主としてダスト絡まり金属が回収ダクト１１に吸引される程度の吸引力となるようにダスト回収制御装置７により回収吸引装置１２を調整して、ダスト絡まり金属を回収ダクト１１に吸引する。このようにして、ダスト絡まり金属は第１金属類搬送機１７による搬送中に回収ダクト１１に吸引されるので、第１回収コンテナ４ａに搬送されるダスト絡まり金属の搬送量は減少する。従って、不純物を含み金属純度の低下を招くダスト絡まり金属の第１回収コンテナ４ａへの回収量は減少するので、第１回収コンテナ４ａに回収される金属類の金属純度は向上する。
【００２６】
ところで、第１金属類搬送機１７により搬送されているダスト絡まり金属を回収ダクト１１に吸引する際には、金属選別装置２から流出したダストも回収ダクト１１に吸引される。このようにして回収ダクト１１に吸引されるダスト絡まり金属とダストとは、回収ダクト１１を経てダスト除去装置１０に搬送される。
【００２７】
ダスト除去装置１０は、例えば密度の相違に基づく風力による両者の搬送状態の違いを利用した風力選別機を有し、ダスト絡まり金属と、ダストと、はこの風力選別機により分別される。
【００２８】
ダスト除去装置１０において分別されたダストは、ダスト搬送機１６へ搬送される。一方、ダスト除去装置１０において分別されたダスト絡まり金属は、回収ダクト１１を経て回収返送装置１３に搬送される。
【００２９】
このようにして回収返送装置１３に搬送されたダスト絡まり金属は、回収返送装置１３によりダスト回収装置３から破砕装置１へ戻される。破砕装置１に戻された、ダスト絡まり金属は、純金属、ダスト絡まり金属、およびダストに破砕される。これにより、ダスト絡まり金属に含まれていた金属部分の一部を純金属として取り出すことができるとともに、非金属部分の一部をダストとして取り出すことができる。このようにして、被破砕物に含まれる純金属部分を更に効率良く回収し、また、非金属部分を更に効率良く除去する。これにより、より金属純度の高い金属類を第１回収コンテナ４ａに回収することができる。
【００３０】
なお、追加のダスト回収装置３を金属選別装置２と第２回収コンテナ４ｂとの間の第２金属類搬送機１８上に更に設け、第２金属類搬送機１８により搬送されている金属類のうちダスト絡まり金属と、金属選別装置２から流出したダストと、をダスト回収装置３により回収してもよい。この場合は、第２回収コンテナ４ｂに回収される金属類の金属純度を向上させることができる。
【００３１】
第１回収コンテナ４ａおよび第２回収コンテナ４ｂに回収された各種の金属類の金属純度は、各金属純度検出計５ａ、５ｂにより検出され、この検出値に基づいて金属純度検出計５ａ、５ｂからダスト回収制御装置７に信号が送られる。また、破砕装置１により破砕される被破砕物の破砕量は、破砕量検出計６により検出され、この検出値に基づいて破砕量検出計６からダスト回収制御装置７に信号が送られる。
【００３２】
ダスト回収制御装置７は、ダスト回収装置３により回収されるダスト絡まり金属およびダストの回収量を制御するために、金属純度検出計５ａ、５ｂおよび破砕量検出計６からの信号に基づいて、回収吸引装置１２の吸引力を調整する。このように、第１回収コンテナ４ａに回収されるダスト絡まり金属およびダストの回収量を調整して、第１回収コンテナ４ａに回収される金属類の金属純度を制御することができ、さらに、破砕装置１における被破砕物の破砕処理速度を制御することができる。
【００３３】
尚、金属選別装置２を、被破砕物搬送機１５の途中に設けてもよい。このような場合でも、金属選別装置２では破砕装置１により破砕された被破砕物が処理されるので、この被破砕物のうち純金属およびダスト絡まり金属と、ダストとを分別することができる。
【００３４】
以上説明したように、本実施の形態によれば、金属選別装置２により分別された純金属、ダスト絡まり金属、および金属選別装置２から流出したダスト、のうち、ダスト絡まり金属およびダストはダスト回収装置３により回収されるので、第１回収コンテナ４ａに回収される金属類の金属純度は向上する。
【００３５】
第２の実施の形態
図２は本発明の第２の実施の形態を示す図である。ここで図２は廃棄物処理システムを示す構成図である。
【００３６】
図２に示す第２の実施の形態は、ダスト回収装置３が破砕装置１と金属選別装置２との間の被破砕物搬送機１５上に設けられ、破砕装置１により破砕された被破砕物のうち、ダストおよびダスト絡まり金属を主としてダスト回収装置３により回収し、このうちダスト絡まり金属を破砕装置１に戻すとともに、他の被破砕物を放出するものである。他の構成は図１に示す第１の実施の形態と略同一である。図２において、図１に示す第１の実施の形態と同一部分には同一符号を付して詳細な説明は省略する。
【００３７】
図２に示される廃棄物処理システムにおいて、破砕装置１により破砕され、被破砕物搬送機１５により金属選別装置２へ搬送される被破砕物のうち、ダスト絡まり金属およびダストは回収ダクト１１に吸引される。回収ダクト１１に吸引されたダスト絡まり金属およびダストは、ダスト除去装置１０に搬送され、ダスト除去装置１０によりダストはダスト搬送機１６に搬送されるとともに、ダスト絡まり金属は回収返送装置１３に搬送される。
【００３８】
従って、破砕装置１から金属選別装置２に搬送される被破砕物のうち、ダストおよびダスト絡まり金属は、主として回収ダクト１１に吸引されるので、破砕装置１から金属選別装置２へのダストおよびダスト絡まり金属の供給量は減少する。
【００３９】
このように金属選別装置２に供給されるダストおよびダスト絡まり金属の供給量が減少した場合、金属選別装置２により分別されるダストおよびダスト絡まり金属も減少する。従って、第２出口２６および第３出口２７から第１金属類搬送機１７および第２金属類搬送機１８を介して第１回収コンテナ４ａおよび第２回収コンテナ４ｂに搬送され、かつ回収されるダスト絡まり金属およびダストも減少する。これにより、第１回収コンテナ４ａおよび第２回収コンテナ４ｂに回収される金属類の金属純度は向上する。
【００４０】
以上説明したように、本実施の形態によれば、破砕装置１により破砕された被破砕物である、純金属、ダスト絡まり金属、およびダストのうち、ダスト絡まり金属およびダストを主として、ダスト回収装置３により回収するので、金属選別装置２へ搬送されて、金属選別装置２により分別されるダスト絡まり金属およびダストは減少し、第１回収コンテナ４ａおよび第２回収コンテナ４ｂに回収される金属類の金属純度は向上する。
【００４１】
【発明の効果】
以上説明したように、本発明によれば、ダスト回収装置は、金属選別装置で分別された純金属とダスト絡まり金属のうちダスト絡まり金属を主として回収し、破砕装置に戻すとともに、金属選別装置から流出するダストの一部を吸引するので、回収コンテナに回収されるダスト絡まり金属の回収量は減少する。このようにして回収コンテナに回収される金属類から、ダスト絡まり金属およびダストを効率良く除去し、回収コンテナに回収される金属類の金属純度は向上する。
【００４２】
また、本発明によれば、ダスト回収装置は、破砕装置により破砕された被破砕物のうちダスト絡まり金属およびダストを主として回収して破砕装置に戻すので、金属選別装置へ搬送され、被破砕物搬送機により分別されるダストおよびダスト絡まり金属は減少する。これにより、金属選別装置から回収コンテナへ搬送され、回収コンテナに回収される金属類から、ダスト絡まり金属およびダストを効率良く除去し、回収コンテナに回収される金属類の金属純度は向上する。
【図面の簡単な説明】
【図１】本発明による廃棄物処理システムの第１の実施の形態を示す構成図。
【図２】本発明による廃棄物処理システムの第２の実施の形態を示す構成図。
【符号の説明】
１  破砕装置
２  金属選別装置
３  ダスト回収装置
４ａ  第１回収コンテナ（第１の回収装置）
４ｂ  第２回収コンテナ（第１の回収装置）
５ａ  金属純度検出計
５ｂ  金属純度検出計
６  破砕量検出計
７  ダスト回収制御装置
８  後段処理装置（第２の回収装置）
１０  ダスト除去装置
１１  回収ダクト
１２  回収吸引装置
１３  回収返送装置
１５  被破砕物搬送機
１６  ダスト搬送機
１７  第１金属類搬送機
１８  第２金属類搬送機
１９  分別装置
２０  供給装置
２５  第１出口
２６  第２出口
２７  第３出口
【図１】
0003697398.tif 000002
【図２】
0003697398.tif 000003